(57)【要約】    【課題】  厚手の手袋を嵌めたままでもスイッチを円滑に操作できるようにしたヘッドランプを提供する。    【解決手段】  ランプ本体１１のハウジング１１Ａ両側にはベルトホルダー１１Ｂが形成され、左右のベルトホルダーにはベルト１２の両端が保持されている一方、ハウジング内には光源が内蔵され、光源と電池とを接続する通電線１４の途中にスイッチ１５が設けられており、スイッチは平坦なボタン状をなし、スイッチケース１６に出没可能に設けられ、スイッチケースは上記ベルトのヘッドランプ装着時の頭側部の位置に取付けられている。【選択図】  図１
0003216403.tif 000002
【実用新案登録請求の範囲】
【請求項１】
ランプ本体（１１）のハウジング（１１Ａ）両側にはベルトホルダー（１１Ｂ）が形成され、該左右のベルトホルダー（１１Ｂ）にはベルト（１２）の両端が保持されている一方、
上記ハウジング（１１Ａ）内には光源が内蔵され、該光源と電池とを接続する通電線（１４）の途中にスイッチ（１５）が設けられており、該スイッチ（１５）は平坦なボタン状をなし、スイッチケース（１６）に出没可能に設けられ、
該スイッチケース（１６）は上記ベルト（１２）のヘッドランプ装着時の頭側部の位置に取付けられていることを特徴とするヘッドランプ。
【請求項２】
上記ベルト（１２）の後頭部の位置に電池を内蔵した電池ケース（１８）が取付けられ、該電池ケース（１８）内の電池と光源とが通電線（１４）で接続され、該通電線（１４）の途中に上記スイッチ（１５）が設けられている請求項１記載のヘッドランプ。
【考案の詳細な説明】
【技術分野】
【０００１】
本考案はヘッドランプに関し、特に厚手の手袋を嵌めたままでもスイッチを円滑に操作できるようにしたヘッドランプに関する。
【背景技術】
【０００２】
例えば、電源のない現場において夜間作業を行う場合、頭部にヘッドランプを装着して必要な照明をすることが行われている。
【０００３】
ヘッドランプには種々の形式が知られている。例えば、ランプ本体のハウジング両側にホルダーを形成し、左右のホルダーの間にベルトを設ける一方、ハウジング内に電球と電池を内蔵し、ハウジングの頂面にスイッチを設け、頭部にベルトを装着してランプ本体を額の上方に位置させ、手を額に上げてスイッチをＯＮ／ＯＦＦできるようにしたヘッドランプが提供されている（特許文献１）。
【先行技術文献】
【特許文献】
【０００４】
【特許文献１】特開平０９−２２３４０３号公報
【考案の開示】
【考案が解決しようとする課題】
【０００５】
ところで、作業の種類によっては安全性を確保するために、厚手の手袋を手に嵌めて作業を行うことがあるが、特許文献１記載のヘッドランプではハウジング頂面にスイッチを設けているので、スイッチの大きさや構造に制限があり、大きなスイッチを設けることが難しく、厚手の手袋を嵌めたままでスイッチを操作しにくいという問題があった。
【０００６】
本考案はかかる問題点に鑑み、厚手の手袋を嵌めたままでもスイッチを円滑に操作できるようにしたヘッドランプを提供することを課題とする。
【課題を解決するための手段】
【０００７】
そこで、本考案に係るヘッドランプは、ランプ本体のハウジング両側にはベルトホルダーが形成され、該左右のベルトホルダーにはベルトの両端が保持されている一方、上記ハウジング内には光源が内蔵され、該光源と電池とを接続する通電線の途中にスイッチが設けられており、該スイッチは平坦なボタン状をなし、スイッチケースに出没可能に設けられ、該スイッチケースは上記ベルトのヘッドランプ装着時の頭側部の位置に取付けられていることを特徴とする。
【０００８】
本考案の１つはスイッチをベルトのヘッドランプ装着時の頭側部の位置に取付けるようにした点にある。
これにより、額の上方ではなく、頭側部に手を上げればよく、スイッチの操作がしやすくなる。
【０００９】
また、本考案の第２の特徴はスイッチを平坦なボタン状となし、スイッチケースに出没可能に設けるようにした点にある。
これにより、厚手の手袋を装着した手で簡単にＯＮ／ＯＦＦ操作することができ、厚手の手袋を使用した夜間の作業効率を大幅に向上できる。
【００１０】
電池はランプ本体のハウジングに内蔵してもよいが、通電線をハウジングから引き出す必要がある。そこで、ベルトの後頭部の位置に電池を内蔵した電池ケースを取付け、電池ケース内の電池と光源とを通電線で接続し、該通電線の途中にスイッチを設けるようにするのがよい。
【００１１】
光源は電球でもよく、ＬＥＤランプであってもよい。
【図面の簡単な説明】
【００１２】
【図１】本考案に係るヘッドランプの好ましい実施形態を示す斜視図である。
【図２】上記実施形態におけるスイッチ部分を示す側面図である。
【図３】上記実施形態におけるスイッチ部分を示す底面図である。
【図４】上記実施形態における電池ケースを示す背面図である。
【考案を実施するための形態】
【００１３】
以下、本考案を図面に示す具体例に基づいて詳細に説明する。図１ないし図４は本考案に係るヘッドランプの好ましい実施形態を示す。図において、ヘッドランプ１０ではランプ本体１１及びベルト１２から構成され、ランプ本体１１はプラスチック製のハウジング１１Ａ内に光源、例えばＬＥＤランプが内蔵されている。
【００１４】
ランプ本体１１のハウジング１１Ａには両側部にコ字状のベルトホルダー１１Ｂが形成され、ベルトホルダー１１Ｂにはベルト１２の両端部が差し込まれ折り返されてベルト１２に固定されている。なお、図中、１７は通電線１４の押え具である。
【００１５】
他方、ベルト１２のヘッドランプ１０の装着状態における後頭部の位置には電池ケース１８が取付けられ、電池ケース１８内には電池が収納され、電池ケース１８の端子とＬＥＤランプの間は通電線１４で接続され、通電線１４はベルト１２に沿って伸びている。なお、図中、１９は縦ベルトの取付け金具である。
【００１６】
通電線１４の途中にはスイッチ１５が設けられている。このスイッチ１５は平坦なボタン状をなし、プラスチック製のスイッチケース１６に出没可能に取付けられて内蔵端子の間を接続切断するように構成されている一方、スイッチケース１６の両側にはコ字状のホルダー１６Ａが形成され、ベルト１２が左右のホルダー１６Ａに挿通されることによってスイッチケース１６はベルト１２のヘッドランプ１０の装着状態における頭側部の位置に取付けられている。
【００１７】
以上のように、スイッチ１５をベルト１２のヘッドランプ装着時の頭側部の位置に取付けるようにしたので、額の上方ではなく、頭側部に手を上げればよく、スイッチ１５の操作がしやすくなる。
【００１８】
また、スイッチ１５を平坦なボタン状となし、スイッチケース１６に出没可能に設けるようにしたので、厚手の手袋を装着した手で簡単にＯＮ／ＯＦＦ操作することができ、厚手の手袋を使用した夜間の作業効率を大幅に向上できる。
【符号の説明】
【００１９】
１０      ヘッドランプ
１１      ランプ本体
１１Ａ      ハウジング
１２      ベルト
１４      通電線
１５      スイッチ
１６      スイッチケース
１８      現地ケース
【図１】
0003216403.tif 000003
【図２】
0003216403.tif 000004
【図３】
0003216403.tif 000005
【図４】
0003216403.tif 000006